(57)【要約】    【課題】携帯に便利な小型レシーバ内に分離可能なマウスを収納すること。    【解決手段】情報信号を受信する受信部を備え、かつ、この受信したデータを電子機器へ伝送する受信処理部を備えた携帯用のレシーバ筐体１内に、この受信部に情報信号を送信する送信部を有する情報入力部材５であるマウス本体を着脱自在に収容し、このマウス本体をレシーバ筐体から取り出し分離し、このマウス本体からレシーバの受信部を介して電子機器へ情報入力を行うことができる情報入力装置の構成である。【選択図】        図１
2005346661.tif 000002
【特許請求の範囲】
【請求項１】
情報信号を受信する受信部を備え、かつ、この受信したデータを電子機器へ伝送する受信処理部を備えた携帯用のレシーバ筐体内に、この受信部に情報信号を送信する送信部を有する情報入力部筐体を着脱自在に収容したことを特徴とする情報入力装置。
【請求項２】
情報信号を受信する受信部を備え、かつ、この受信したデータを電子機器へ伝送する受信処理部を備えた携帯用のレシーバ筐体内に、この受信部に情報信号を送信する送信部を有する情報入力部材であるマウス本体を着脱自在に収容し、このマウス本体をレシーバ筐体から取り出し分離し、このマウス本体からレシーバの受信部を介して電子機器へ情報入力を行うことを特徴とする情報入力装置。
【請求項３】
情報信号を受信する受信部を備え、かつ、この受信したデータを電子機器へ伝送する受信処理部を備えた携帯用のレシーバ筐体内に、この受信部に情報信号を送信する送信部を有する情報入力部筐体を着脱自在に収容し、前記レシーバ筐体内に収納した時は情報入力部筐体の電源がオフとなり、このレシーバ筐体より情報入力部筐体を取り出した時は電源が自動的にオンとなることを特徴とする情報入力装置。
【請求項４】
情報信号を受信する受信部を備え、かつ、この受信したデータを電子機器へ伝送する受信処理部を備えた携帯用のレシーバ筐体内にこの受信部に情報信号を送信する送信部を有する情報入力部筐体を着脱自在に収容し、この情報入力部の電池を充電するための充電器が前記レシーバ筐体内に配設してあることを特徴とする情報入力装置。
【請求項５】
請求項１〜４の情報入力装置において、この筐体の側面にＵＳＢハブ、カードリーダ等の機器類を接続しうる挿入口を配置し、内部にこれら機器の処理回路を内蔵してあることを特徴とする情報入力装置。
【発明の詳細な説明】
【技術分野】
【０００１】
本発明は、パーソナルコンピュータ等へ情報信号を送信する情報入力装置にかかり、特に、送信部を具えたマウスなどの情報入力部材から受信部を有するレシーバ機器を介して情報を電子器具へ入力する情報入力装置に関する。
【背景技術】
【０００２】
コンピュータ、パーソナルコンピュータ、携帯電話、携帯視聴機器などの電子器具への入力装置として、これら電子器具とケーブルを介して接続されたマウス、プレイヤーなどの情報入力装置から入力されるのが普通である。このような入力手段として昨今はケーブルを使用しないコードレス入力装置が使用されるようになっている。
ノート型コンピュータの場合入力端末であるマウスなどが携帯に不便であり、コードとマウスとをポケットに入れて持ち運んでいる。このような不便さを改善するためにマウスなどの入力端末をコンピュータ内に収納し、一体にして持ち運ぶものが提案されている（特許文献１、特許文献２）。また、入力端末であるマウスからケーブルを排除して無線送信で情報信号を送信するものが開発されている（特許文献３）。
【０００３】
このようにマウスなどの情報入力装置について数多く種々のものが開発されている。
【特許文献１】特許第３０３０３８４号
【特許文献２】特開平５−５３６８８号公報
【特許文献３】特開２００３−２９６０２０号公報
【０００４】
これら特許文献１、２に提案されているものは、収納空間を配置するためにコンピュータ自体が大きなものになって、携帯性に問題があった。また、特許文献３に提案されているようなワイヤレスの製品では、送信信号の十分な伝達が出来なかった。更に、小型マウスの場合は、送信器の能力の関係で送信が弱く、送信信号がコンピュータに正確に入力され難かった。
【発明の開示】
【発明が解決しようとする課題】
【０００５】
このように情報入力部材であるマウスなどは操作性から手の平内に納まるように、また、指操作しやすいように特殊な形状に設計されているために、ポケットなどに収納したときは不安定な状態であった。特に、持ち運びには不安定であった。
この発明の課題は、ポケットやカバン内に収納したときに安定な状態を維持できる情報入力装置を提供することである。
またこの発明の課題は、小型携帯レシーバ内にマウスを収納して持ち運びができ、コンピュータへの入力が確実に可能な情報入力装置を提供することである。
【課題を解決するための手段】
【０００６】
本発明の前記課題は、次のような構成によって達成することができる。
情報信号を受信する受信部を備え、かつ、この受信したデータを電子機器へ伝送する受信処理部を備えた携帯用のレシーバ筐体内に、この受信部に情報信号を送信する送信部を有する情報入力部筐体を着脱自在に収容した情報入力装置の構成である。
【０００７】
この発明の前記課題は、情報信号を受信する受信部を備え、かつ、この受信したデータを電子機器へ伝送する受信処理部を備えた携帯用のレシーバ筐体内に、この受信部に情報信号を送信する送信部を有する情報入力部材であるマウス本体を着脱自在に収容し、このマウス本体をレシーバ筐体から取り出し分離し、このマウス本体からレシーバの受信部を介して電子機器へ情報入力を行うことができる情報入力装置の構成によって達成できる。
【０００８】
この発明の前記課題は、情報信号を受信する受信部を備え、かつ、この受信したデータを電子機器へ伝送する受信処理部を備えた携帯用のレシーバ筐体内に、この受信部に情報信号を送信する送信部を有する情報入力部筐体を着脱自在に収容し、前記レシーバ筐体内に収納した時は情報入力部筐体の電源がオフとなり、このレシーバ筐体より情報入力部筐体を取り出した時は電源が自動的にオンとなる情報入力装置、または、情報入力部筐体であるマウスを着脱自在に収容し、この情報入力部の電池を充電するための充電器が前記レシーバ筐体内に配設してあることを特徴とする情報入力装置の構成によって達成できる。
【発明の効果】
【０００９】
本発明の情報入力装置は、形状が特定化されて持ち運びが困難で、携帯に不安定なマウスなどの情報入力端末であっても携帯に便利な大きさのレシーバ筐体内に収納でき、このレシーバの形状もほぼ四角形にするなどその形状の選択が自由である。レシーバ筐体が安定な形状であるから持ち運びが楽であり、取り扱いが簡易である。特にレシーバ筐体の形状をタバコケースの大きさにすると携帯は勿論、使用に際しても電子機器の傍に安定に配置することできる。
【００１０】
従来はレシーバ自体が小型であったから送受信力が弱く、マウスの位置から遠い位置に配置したときは（左側に受信部がある場合）十分なる信号の伝達ができなかった。
本考案の情報入力装置がマウス端末から離れた位置に配置されていてもレシーバ筐体に大きなアンテナを配置することができる。また。レシーバ筐体をコンピュータの受信のよい位置に配置することができ、確実にコンピュータに情報を伝達することができる。
マウスなどの情報入力端末がレシーバ筐体内に収納できるのでマウスなどの小型機器の保護カバーになり、ある程度乱暴に扱ってもマウスの故障の心配がない。
レシーバ筐体内にＵＳＢハブ、カードリーダなど機器を付加することにより、機器の利用範囲が広がり、用途が多くなる。更に、マウス自体を小型に維持できる。
【発明を実施するための最良の形態】
【００１１】
本発明の情報入力装置について図面に示す実施の形態に基づいて説明する。
図１は本発明の情報入力装置の第１の実施形態の斜視図である。図２は本発明の図１の情報入力装置とコンピュータとの関係示す説明図である。図３は本発明のレシーバと入力筐体の関係を示す説明図である。図４は本発明情報入力装置の第２の実施形態を示す説明図である。
【００１２】
図１に示す筐体からなるレシーバ本体１は、この筐体内に情報信号端末からの信号を受信する受信回路２、ＰＳ/２通信用のマイクロコントローラの受信部（ＣＰＵ）３を内蔵し、更に、受信したデータを電子機器へ伝達するためのデータ処理部を備えている。この筐体にマウスなどの情報入力部材５を収納する収納部４が設けられている。この収納部４は情報入力部材５の筐体が完全に収納されるようになっている。この収納部４には情報入力部材５の電源がこの情報入力部材５の挿入・脱出時にオフ・オンされるスイッチ１２を備える。また、このレシーバ本体１内に電池充電回路を内蔵する。これによって情報入力部材５の充電を可能にする。
【００１３】
このレシーバ本体１には受信アンテナ６が配置してあり、コンピュータ７に接続するＵＳＢコネクタ１５を有するケーブル８を具えてある。このケーブル８はこのレシーバ本体１内に収納できるようになっている。
また、このレシーバ本体１にはＵＳＢハブコネクタ１３.カードリーダ入力部１４を備えている。
【００１４】
一方、情報入力部材５はセンサ部９からの座標情報入力信号や音楽情報入力信号を送信する送信部（ＣＰＵ）１０及び送信回路１１を具えている。センサ部９は、例えば、プリント基板、光学式センサチップ、ＬＥＤなど内蔵する赤外線センサ装置である。１６はキーボードで、この実施形態ではワイアレスになっており、送信回路を内蔵している。
【００１５】
本発明の情報入力装置は、蓋１ａを開けて中から情報入力部材５を取り出し、ＵＳＢコネクタ１５を引き出して貫通穴１ｂに嵌合して蓋１ａを閉じる。ＵＳＢコネクタ１５をコンピュータ７に接続する。情報入力部材５はＯＮの状態になり、操作可能となる。この情報入力部材５による座標位置情報などが送信ＣＰＵ１０を介して送信回路１１を経由して送信され、レシーバ本体１の受信アンテナ６で受信され、データ処理部によって処理されてケーブル８を経てコンピュータ７、に送信する。
【００１６】
図４は情報入力装置の第２の実施形態を示すもので、タバコケースのような筐体内に、ＵＳＢコネクタ、コードやマウスである情報入力部材５が収納されており、蓋１ａ開いて、情報入力部材５を取り出し所定の位置に配置し、レシーバ本体１をコンピュータに近接して配置し、筐体内部のＵＳＢコネクタ１５を取り出し、コンピュータに接続する。
【００１７】
このように構成されている情報入力装置であるレシーバ本体１は、安定した状態で卓上などに載置できる形状になっている。例えば、図４に示されるようにタバコケースのような大きさで、四角形になっており、安定な状態を保持できる。
このレシーバ本体１内にマウスなどの情報入力部材５を収納できるからこのレシーバ本体１を携帯して持ち運びでき、マウスの形状に関係なく、カバンなどに収納できる。このレシーバ本体1はマウスの保護カバーとなっている。
【００１８】
従って、コンピュータ自体を分厚く設計することもなく、レシーバとコンピュータとを分離して携帯することができる。特に、マウス本体を傷めることなく持ち運びができる。このマウス本体を小さく設計することによりレシーバ本体１を小さく作ることができる。
【図面の簡単な説明】
【００１９】
【図１】本発明の情報入力装置の第１の実施形態の斜視図である。
【図２】本発明の図１の情報入力装置とコンピュータとの関係示す説明図である。
【図３】本発明の情報入力装置のレシーバと入力筐体の関係を示す説明図である。
【図４】本発明の情報入力装置の第２の実施形態を示す説明図である。（ａ）斜視図（ｂ）内部機構を示す断面図（ｃ）筐体の蓋を開いた状態を示す側面図である。
【符号の説明】
【００２０】
１      レシーバ本体
２      受信回路  
３      受信ＣＰＵ  
４      収納部  
５      情報入力部
６      受信アンテナ  
７      コンピュータ
【図１】
2005346661.tif 000003
【図２】
2005346661.tif 000004
【図３】
2005346661.tif 000005
【図４】
2005346661.tif 000006